(57)【要約】【課題】移動局装置が、効率的に上りリンク制御情報を基地局装置へ送信することができる移動通信システム、基地局装置、移動局装置および通信方法を提供する。【解決手段】複数のサービングセルを使用して基地局装置と移動局装置が通信する移動通信システムであって、前記基地局装置は、サービングセルそれぞれに対する下りリンクおよび上りリンクのサブフレームの設定を指示する情報を前記移動局装置へ送信し、前記移動局装置は、前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信する。【選択図】図６
2013005367.tif 000002
【特許請求の範囲】
【請求項１】
複数のサービングセルを使用して基地局装置と移動局装置が通信する移動通信システムであって、
前記基地局装置は、
サービングセルそれぞれに対する下りリンクおよび上りリンクのサブフレームの設定を指示する情報を前記移動局装置へ送信し、
前記移動局装置は、
前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信する
ことを特徴とする移動通信システム。
【請求項２】
複数のサービングセルを使用して基地局装置と移動局装置が通信する移動通信システムであって、
前記基地局装置は、
サービングセルそれぞれに対する下りリンクおよび上りリンクのサブフレームの設定を指示する情報を前記移動局装置へ送信し、
前記移動局装置は、
プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信する
ことを特徴とする移動通信システム。
【請求項３】
前記移動局装置は、
前記プライマリセルのサブフレームが上りリンクサブフレームの場合には、前記プライマリセルの前記物理上りリンク制御チャネルリソースを使用して、前記上りリンク制御情報を前記基地局装置へ送信する
ことを特徴とする請求項２に記載の移動通信システム。
【請求項４】
前記移動局装置は、
前記プライマリセルのサブフレームが上りリンクサブフレームで、前記物理ランダムアクセスチャネルリソースが設定されたセカンダリセルのサブフレームが上りリンクサブフレームの場合には、前記プライマリセルの前記物理上りリンク制御チャネルリソースを使用して、前記上りリンク制御情報を前記基地局装置へ送信する
ことを特徴とする請求項２に記載の移動通信システム。
【請求項５】
前記移動局装置は、
前記プライマリセルのサブフレームが下りリンクサブフレームで、前記物理ランダムアクセスチャネルリソースが設定されたセカンダリセルのサブフレームが上りリンクサブフレームの場合には、前記物理ランダムアクセスチャネルリソースが設定されたセカンダリセルの前記物理上りリンク制御チャネルリソースを使用して、前記上りリンク制御情報を前記基地局装置へ送信する
ことを特徴とする請求項２に記載の移動通信システム。
【請求項６】
複数のサービングセルを使用して基地局装置と移動局装置が通信する移動通信システムであって、
前記基地局装置は、
サービングセルそれぞれに対する下りリンクおよび上りリンクのサブフレームの設定を指示する情報を前記移動局装置へ送信し、
前記移動局装置は、
物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、
前記物理下りリンク制御チャネルで送信される下りリンク制御情報によって指示された物理上りリンク制御チャネルリソースを使用して、上りリンク制御情報を前記基地局装置へ送信する
ことを特徴とする移動通信システム。
【請求項７】
前記移動局装置は、
前記上りリンク制御情報を、前記物理ランダムアクセスチャネルリソースが設定されたセカンダリセルでの物理下りリンク共用チャネル送信を指示する物理下りリンク制御チャネルで送信される下りリンク制御情報に従ってセットされる送信電力で、前記基地局装置へ送信する
ことを特徴とする請求項６に記載の移動通信システム。
【請求項８】
複数のサービングセルを使用して基地局装置と移動局装置が通信する移動通信システムであって、
前記基地局装置は、
サービングセルそれぞれに対する下りリンクおよび上りリンクのサブフレームの設定を指示する情報を前記移動局装置へ送信し、
前記移動局装置は、
上りリンク制御情報を、プライマリセルの上りリンクサブフレームで物理上りリンク制御チャネルリソースを使用して送信する場合には、
前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、
上りリンク制御情報を、前記物理ランダムアクセスチャネルリソースが設定されたセカンダリセルの上りリンクサブフレームで物理上りリンク制御チャネルリソースを使用して送信する場合には、
前記下りリンク制御情報を、前記上りリンク制御情報を送信する際の送信電力をセットするために使用される情報と解釈する
ことを特徴とする移動通信システム。
【請求項９】
複数のサービングセルを使用して移動局装置と通信する基地局装置であって、
サービングセルそれぞれに対する下りリンクおよび上りリンクのサブフレームの設定を指示する情報を前記移動局装置へ送信するユニットと、
前記基地局装置によって物理ランダムアクセスチャネルリソースが設定されたセカンダリセルの上りリンクサブフレームで物理上りリンク制御チャネルリソースを使用して、上りリンク制御情報を前記移動局装置から受信するユニットと、
を備えることを特徴とする基地局装置。
【請求項１０】
複数のサービングセルを使用して移動局装置と通信する基地局装置であって、
サービングセルそれぞれに対する下りリンクおよび上りリンクのサブフレームの設定を指示する情報を前記移動局装置へ送信するユニットと、
プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記移動局装置から受信するユニットと、
を備えることを特徴とする基地局装置。
【請求項１１】
複数のサービングセルを使用して移動局装置と通信する基地局装置であって、
サービングセルそれぞれに対する下りリンクおよび上りリンクのサブフレームの設定を指示する情報を前記移動局装置へ送信するユニットと、
前記移動局装置が、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、
前記物理下りリンク制御チャネルで送信される下りリンク制御情報によって指示された物理上りリンク制御チャネルリソースを使用して、上りリンク制御情報を前記移動局装置から受信するユニットと、
を備えることを特徴とする基地局装置。
【請求項１２】
複数のサービングセルを使用して移動局装置と通信する基地局装置であって、
サービングセルそれぞれに対する下りリンクおよび上りリンクのサブフレームの設定を指示する情報を前記移動局装置へ送信するユニットと、
前記移動局装置が、上りリンク制御情報を、プライマリセルの上りリンクサブフレームで物理上りリンク制御チャネルリソースを使用して送信する場合には、
前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈するユニットと、
前記移動局装置が、上りリンク制御情報を、前記物理ランダムアクセスチャネルリソースが設定されたセカンダリセルの上りリンクサブフレームで物理上りリンク制御チャネルリソースを使用して送信する場合には、
前記下りリンク制御情報を、前記上りリンク制御情報を送信する際の送信電力をセットするために使用される情報と解釈するユニットと、
を備えることを特徴とする基地局装置。
【請求項１３】
複数のサービングセルを使用して基地局装置と通信する移動局装置であって、
サービングセルそれぞれに対する下りリンクおよび上りリンクのサブフレームの設定を指示する情報を前記基地局装置から受信するユニットと、
前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信するユニットと、
を備えることを特徴とする移動局装置。
【請求項１４】
複数のサービングセルを使用して基地局装置と通信する移動局装置であって、
サービングセルそれぞれに対する下りリンクおよび上りリンクのサブフレームの設定を指示する情報を前記基地局装置から受信するユニットと、
プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信するユニットと、
を備えることを特徴とする移動局装置。
【請求項１５】
複数のサービングセルを使用して基地局装置と通信する移動局装置であって、
サービングセルそれぞれに対する下りリンクおよび上りリンクのサブフレームの設定を指示する情報を前記基地局装置から受信するユニットと、
物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、
前記物理下りリンク制御チャネルで送信される下りリンク制御情報によって指示された物理上りリンク制御チャネルリソースを使用して、上りリンク制御情報を前記基地局装置へ送信するユニットと、
を備えることを特徴とする移動局装置。
【請求項１６】
複数のサービングセルを使用して基地局装置と通信する移動局装置であって、
サービングセルそれぞれに対する下りリンクおよび上りリンクのサブフレームの設定を指示する情報を前記基地局装置から受信するユニットと、
上りリンク制御情報を、プライマリセルの上りリンクサブフレームで物理上りリンク制御チャネルリソースを使用して送信する場合には、
前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈するユニットと、
上りリンク制御情報を、前記物理ランダムアクセスチャネルリソースが設定されたセカンダリセルの上りリンクサブフレームで物理上りリンク制御チャネルリソースを使用して送信する場合には、
前記下りリンク制御情報を、前記上りリンク制御情報を送信する際の送信電力をセットするために使用される情報と解釈するユニットと、
を備えることを特徴とする移動局装置。
【請求項１７】
複数のサービングセルを使用して移動局装置と通信する基地局装置の通信方法であって、
サービングセルそれぞれに対する下りリンクおよび上りリンクのサブフレームの設定を指示する情報を前記移動局装置へ送信し、
前記基地局装置によって物理ランダムアクセスチャネルリソースが設定されたセカンダリセルの上りリンクサブフレームで物理上りリンク制御チャネルリソースを使用して、上りリンク制御情報を前記移動局装置から受信する
ことを特徴とする通信方法。
【請求項１８】
複数のサービングセルを使用して移動局装置と通信する基地局装置の通信方法であって、
サービングセルそれぞれに対する下りリンクおよび上りリンクのサブフレームの設定を指示する情報を前記移動局装置へ送信し、
プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記移動局装置から受信する
ことを特徴とする通信方法。
【請求項１９】
複数のサービングセルを使用して移動局装置と通信する基地局装置の通信方法であって、
サービングセルそれぞれに対する下りリンクおよび上りリンクのサブフレームの設定を指示する情報を前記移動局装置へ送信し、
前記移動局装置が、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、
前記物理下りリンク制御チャネルで送信される下りリンク制御情報によって指示された物理上りリンク制御チャネルリソースを使用して、上りリンク制御情報を前記移動局装置から受信する
ことを特徴とする通信方法。
【請求項２０】
複数のサービングセルを使用して移動局装置と通信する基地局装置の通信方法であって、
サービングセルそれぞれに対する下りリンクおよび上りリンクのサブフレームの設定を指示する情報を前記移動局装置へ送信し、
前記移動局装置が、上りリンク制御情報を、プライマリセルの上りリンクサブフレームで物理上りリンク制御チャネルリソースを使用して送信する場合には、
前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、
前記移動局装置が、上りリンク制御情報を、前記物理ランダムアクセスチャネルリソースが設定されたセカンダリセルの上りリンクサブフレームで物理上りリンク制御チャネルリソースを使用して送信する場合には、
前記下りリンク制御情報を、前記上りリンク制御情報を送信する際の送信電力をセットするために使用される情報と解釈する
ことを特徴とする通信方法。
【請求項２１】
複数のサービングセルを使用して基地局装置と通信する移動局装置の通信方法であって、
サービングセルそれぞれに対する下りリンクおよび上りリンクのサブフレームの設定を指示する情報を前記基地局装置から受信し、
前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信する
ことを特徴とする通信方法。
【請求項２２】
複数のサービングセルを使用して基地局装置と通信する移動局装置の通信方法であって、
サービングセルそれぞれに対する下りリンクおよび上りリンクのサブフレームの設定を指示する情報を前記基地局装置から受信し、
プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信する
ことを特徴とする通信方法。
【請求項２３】
複数のサービングセルを使用して基地局装置と通信する移動局装置の通信方法であって、
サービングセルそれぞれに対する下りリンクおよび上りリンクのサブフレームの設定を指示する情報を前記基地局装置から受信し、
物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、
前記物理下りリンク制御チャネルで送信される下りリンク制御情報によって指示された物理上りリンク制御チャネルリソースを使用して、上りリンク制御情報を前記基地局装置へ送信する
ことを特徴とする通信方法。
【請求項２４】
複数のサービングセルを使用して基地局装置と通信する移動局装置の通信方法であって、
サービングセルそれぞれに対する下りリンクおよび上りリンクのサブフレームの設定を指示する情報を前記基地局装置から受信し、
上りリンク制御情報を、プライマリセルの上りリンクサブフレームで物理上りリンク制御チャネルリソースを使用して送信する場合には、
前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、
上りリンク制御情報を、前記物理ランダムアクセスチャネルリソースが設定されたセカンダリセルの上りリンクサブフレームで物理上りリンク制御チャネルリソースを使用して送信する場合には、
前記下りリンク制御情報を、前記上りリンク制御情報を送信する際の送信電力をセットするために使用される情報と解釈する
ことを特徴とする通信方法。
【発明の詳細な説明】
【技術分野】
【０００１】
本発明は、移動通信システム、基地局装置、移動局装置および通信方法に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、マルチキャリア送信であるＯＦＤＭ（Orthogonal Frequency Division Multiplexing）方式が用いられる。また、移動局装置から基地局装置への上りリンクの通信方式として、シングルキャリア送信であるＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１０では、ＬＴＥリリース８／リリース９と同一のチャネル構造を持つサービングセルを複数用いて、基地局装置と移動局装置が通信を行う技術（セル集約: cell aggregation、キャリア集約: carrier aggregationとも呼称される）が検討されている（非特許文献１）。例えば、基地局装置と移動局装置は、集約された複数のサービングセルを使用して、同一サブフレームにおいて、複数の物理チャネルでの情報の送受信を行うことができる。
【０００４】
さらに、ＬＴＥリリース１１では、基地局装置と移動局装置が、セル集約を使用して通信を行う際に、異なる周波数帯で、異なる下りリンクおよび上りリンクのサブフレームの設定（以下、サブフレームの設定、上りリンク−下りリンクの設定、フレーム構造に関する設定とも記載する）をサポートすることが検討されている（非特許文献２）。ここで、ＬＴＥでは、ＦＤＤ（Frequency Division Duplex）とＴＤＤ（Time Division Duplex）へ適用される無線フレーム構造がサポートされる。
【先行技術文献】
【非特許文献】
【０００５】
【非特許文献１】"Carrier aggregation in LTE-Advanced", 3GPP TSG RAN WG1 Meeting #53bis, R1-082468, June 30-July 4, 2008.
【非特許文献２】"HARQ and Cross-carrier Scheduling for Different TDD configurations", 3GPP TSG RAN WG2 Meeting #74, R2-112798, May 9-13, 2011.
【発明の概要】
【発明が解決しようとする課題】
【０００６】
しかしながら、従来の技術では、移動局装置が、上りリンク制御情報（ＵＣＩ：Uplink Control Information）を基地局装置へ送信する際に、どのように送信するのかの具体的な記載がなかった。例えば、移動局装置が、上りリンク制御情報を、どのようなタイミングで基地局装置へ送信するかの具体的な記載がなかった。また、例えば、基地局装置が、上りリンク制御情報の送信に使用されるリソースを、どのように移動局装置へ割り当てるかの具体的な記載がなかった。
【０００７】
本発明は、このような事情に鑑みてなされたものであり、移動局装置が、効率的に上りリンク制御情報を基地局装置へ送信することができる移動通信システム、基地局装置、移動局装置および通信方法を提供する。
【課題を解決するための手段】
【０００８】
（１）上記の目的を達成するために、本発明は、以下のような手段を講じた。すなわち、本発明の移動通信システムは、複数のサービングセルを使用して基地局装置と移動局装置が通信する移動通信システムであって、前記基地局装置は、サービングセルそれぞれに対する下りリンクおよび上りリンクのサブフレームの設定を指示する情報を前記移動局装置へ送信し、前記移動局装置は、前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信することを特徴としている。
【０００９】
（２）また、複数のサービングセルを使用して基地局装置と移動局装置が通信する移動通信システムであって、前記基地局装置は、サービングセルそれぞれに対する下りリンクおよび上りリンクのサブフレームの設定を指示する情報を前記移動局装置へ送信し、前記移動局装置は、プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信することを特徴としている。
【００１０】
（３）また、前記移動局装置は、前記プライマリセルのサブフレームが上りリンクサブフレームの場合には、前記プライマリセルの前記物理上りリンク制御チャネルリソースを使用して、前記上りリンク制御情報を前記基地局装置へ送信することを特徴としている。
【００１１】
（４）また、前記移動局装置は、前記プライマリセルのサブフレームが上りリンクサブフレームで、前記物理ランダムアクセスチャネルリソースが設定されたセカンダリセルのサブフレームが上りリンクサブフレームの場合には、前記プライマリセルの前記物理上りリンク制御チャネルリソースを使用して、前記上りリンク制御情報を前記基地局装置へ送信することを特徴としている。
【００１２】
（５）また、前記移動局装置は、前記プライマリセルのサブフレームが下りリンクサブフレームで、前記物理ランダムアクセスチャネルリソースが設定されたセカンダリセルのサブフレームが上りリンクサブフレームの場合には、前記物理ランダムアクセスチャネルリソースが設定されたセカンダリセルの前記物理上りリンク制御チャネルリソースを使用して、前記上りリンク制御情報を前記基地局装置へ送信することを特徴としている。
【００１３】
（６）また、複数のサービングセルを使用して基地局装置と移動局装置が通信する移動通信システムであって、前記基地局装置は、サービングセルそれぞれに対する下りリンクおよび上りリンクのサブフレームの設定を指示する情報を前記移動局装置へ送信し、前記移動局装置は、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、前記物理下りリンク制御チャネルで送信される下りリンク制御情報によって指示された物理上りリンク制御チャネルリソースを使用して、上りリンク制御情報を前記基地局装置へ送信することを特徴としている。
【００１４】
（７）また、前記移動局装置は、前記上りリンク制御情報を、前記物理ランダムアクセスチャネルリソースが設定されたセカンダリセルでの物理下りリンク共用チャネル送信を指示する物理下りリンク制御チャネルで送信される下りリンク制御情報に従ってセットされる送信電力で、前記基地局装置へ送信することを特徴としている。
【００１５】
（８）また、複数のサービングセルを使用して基地局装置と移動局装置が通信する移動通信システムであって、前記基地局装置は、サービングセルそれぞれに対する下りリンクおよび上りリンクのサブフレームの設定を指示する情報を前記移動局装置へ送信し、前記移動局装置は、上りリンク制御情報を、プライマリセルの上りリンクサブフレームで物理上りリンク制御チャネルリソースを使用して送信する場合には、前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、上りリンク制御情報を、前記物理ランダムアクセスチャネルリソースが設定されたセカンダリセルの上りリンクサブフレームで物理上りリンク制御チャネルリソースを使用して送信する場合には、前記下りリンク制御情報を、前記上りリンク制御情報を送信する際の送信電力をセットするために使用される情報と解釈することを特徴としている。
【００１６】
（９）また、複数のサービングセルを使用して移動局装置と通信する基地局装置であって、サービングセルそれぞれに対する下りリンクおよび上りリンクのサブフレームの設定を指示する情報を前記移動局装置へ送信するユニットと、前記基地局装置によって物理ランダムアクセスチャネルリソースが設定されたセカンダリセルの上りリンクサブフレームで物理上りリンク制御チャネルリソースを使用して、上りリンク制御情報を前記移動局装置から受信するユニットと、を備えることを特徴としている。
【００１７】
（１０）また、複数のサービングセルを使用して移動局装置と通信する基地局装置であって、サービングセルそれぞれに対する下りリンクおよび上りリンクのサブフレームの設定を指示する情報を前記移動局装置へ送信するユニットと、プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記移動局装置から受信するユニットと、を備えることを特徴としている。
【００１８】
（１１）また、複数のサービングセルを使用して移動局装置と通信する基地局装置であって、サービングセルそれぞれに対する下りリンクおよび上りリンクのサブフレームの設定を指示する情報を前記移動局装置へ送信するユニットと、前記移動局装置が、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、前記物理下りリンク制御チャネルで送信される下りリンク制御情報によって指示された物理上りリンク制御チャネルリソースを使用して、上りリンク制御情報を前記移動局装置から受信するユニットと、を備えることを特徴としている。
【００１９】
（１２）また、複数のサービングセルを使用して移動局装置と通信する基地局装置であって、サービングセルそれぞれに対する下りリンクおよび上りリンクのサブフレームの設定を指示する情報を前記移動局装置へ送信するユニットと、前記移動局装置が、上りリンク制御情報を、プライマリセルの上りリンクサブフレームで物理上りリンク制御チャネルリソースを使用して送信する場合には、前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈するユニットと、前記移動局装置が、上りリンク制御情報を、前記物理ランダムアクセスチャネルリソースが設定されたセカンダリセルの上りリンクサブフレームで物理上りリンク制御チャネルリソースを使用して送信する場合には、前記下りリンク制御情報を、前記上りリンク制御情報を送信する際の送信電力をセットするために使用される情報と解釈するユニットと、を備えることを特徴としている。
【００２０】
（１３）また、複数のサービングセルを使用して基地局装置と通信する移動局装置であって、サービングセルそれぞれに対する下りリンクおよび上りリンクのサブフレームの設定を指示する情報を前記基地局装置から受信するユニットと、前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信するユニットと、を備えることを特徴としている。
【００２１】
（１４）また、複数のサービングセルを使用して基地局装置と通信する移動局装置であって、サービングセルそれぞれに対する下りリンクおよび上りリンクのサブフレームの設定を指示する情報を前記基地局装置から受信するユニットと、プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信するユニットと、を備えることを特徴としている。
【００２２】
（１５）また、複数のサービングセルを使用して基地局装置と通信する移動局装置であって、サービングセルそれぞれに対する下りリンクおよび上りリンクのサブフレームの設定を指示する情報を前記基地局装置から受信するユニットと、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、前記物理下りリンク制御チャネルで送信される下りリンク制御情報によって指示された物理上りリンク制御チャネルリソースを使用して、上りリンク制御情報を前記基地局装置へ送信するユニットと、を備えることを特徴としている。
【００２３】
（１６）また、複数のサービングセルを使用して基地局装置と通信する移動局装置であって、サービングセルそれぞれに対する下りリンクおよび上りリンクのサブフレームの設定を指示する情報を前記基地局装置から受信するユニットと、上りリンク制御情報を、プライマリセルの上りリンクサブフレームで物理上りリンク制御チャネルリソースを使用して送信する場合には、前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈するユニットと、上りリンク制御情報を、前記物理ランダムアクセスチャネルリソースが設定されたセカンダリセルの上りリンクサブフレームで物理上りリンク制御チャネルリソースを使用して送信する場合には、前記下りリンク制御情報を、前記上りリンク制御情報を送信する際の送信電力をセットするために使用される情報と解釈するユニットと、を備えることを特徴としている。
【００２４】
（１７）また、複数のサービングセルを使用して移動局装置と通信する基地局装置の通信方法であって、サービングセルそれぞれに対する下りリンクおよび上りリンクのサブフレームの設定を指示する情報を前記移動局装置へ送信し、前記基地局装置によって物理ランダムアクセスチャネルリソースが設定されたセカンダリセルの上りリンクサブフレームで物理上りリンク制御チャネルリソースを使用して、上りリンク制御情報を前記移動局装置から受信することを特徴としている。
【００２５】
（１８）また、複数のサービングセルを使用して移動局装置と通信する基地局装置の通信方法であって、サービングセルそれぞれに対する下りリンクおよび上りリンクのサブフレームの設定を指示する情報を前記移動局装置へ送信し、プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記移動局装置から受信することを特徴としている。
【００２６】
（１９）また、複数のサービングセルを使用して移動局装置と通信する基地局装置の通信方法であって、サービングセルそれぞれに対する下りリンクおよび上りリンクのサブフレームの設定を指示する情報を前記移動局装置へ送信し、前記移動局装置が、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、前記物理下りリンク制御チャネルで送信される下りリンク制御情報によって指示された物理上りリンク制御チャネルリソースを使用して、上りリンク制御情報を前記移動局装置から受信することを特徴としている。
【００２７】
（２０）また、複数のサービングセルを使用して移動局装置と通信する基地局装置の通信方法であって、サービングセルそれぞれに対する下りリンクおよび上りリンクのサブフレームの設定を指示する情報を前記移動局装置へ送信し、前記移動局装置が、上りリンク制御情報を、プライマリセルの上りリンクサブフレームで物理上りリンク制御チャネルリソースを使用して送信する場合には、前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、前記移動局装置が、上りリンク制御情報を、前記物理ランダムアクセスチャネルリソースが設定されたセカンダリセルの上りリンクサブフレームで物理上りリンク制御チャネルリソースを使用して送信する場合には、前記下りリンク制御情報を、前記上りリンク制御情報を送信する際の送信電力をセットするために使用される情報と解釈することを特徴としている。
【００２８】
（２１）また、複数のサービングセルを使用して基地局装置と通信する移動局装置の通信方法であって、サービングセルそれぞれに対する下りリンクおよび上りリンクのサブフレームの設定を指示する情報を前記基地局装置から受信し、前記基地局装置によって物理ランダムアクセスチャネルリソースが設定されたセカンダリセルの上りリンクサブフレームで物理上りリンク制御チャネルリソースを使用して、上りリンク制御情報を前記基地局装置へ送信することを特徴としている。
【００２９】
（２２）また、複数のサービングセルを使用して基地局装置と通信する移動局装置の通信方法であって、サービングセルそれぞれに対する下りリンクおよび上りリンクのサブフレームの設定を指示する情報を前記基地局装置から受信し、プライマリセル、または、前記基地局装置によって物理ランダムアクセスチャネルリソースが設定されたセカンダリセルのいずれかの上りリンクサブフレームで物理上りリンク制御チャネルリソースを使用して、上りリンク制御情報を前記基地局装置へ送信することを特徴としている。
【００３０】
（２３）また、複数のサービングセルを使用して基地局装置と通信する移動局装置の通信方法であって、サービングセルそれぞれに対する下りリンクおよび上りリンクのサブフレームの設定を指示する情報を前記基地局装置から受信し、物理下りリンク制御チャネルを検出することによって、前記基地局装置によって物理ランダムアクセスチャネルリソースが設定されたセカンダリセルとは異なるセカンダリセルでの物理下りリンク共用チャネル送信が指示された場合には、前記物理下りリンク制御チャネルで送信される下りリンク制御情報によって指示された物理上りリンク制御チャネルリソースを使用して、上りリンク制御情報を前記基地局装置へ送信することを特徴としている。
【００３１】
（２４）また、複数のサービングセルを使用して基地局装置と通信する移動局装置の通信方法であって、サービングセルそれぞれに対する下りリンクおよび上りリンクのサブフレームの設定を指示する情報を前記基地局装置から受信し、上りリンク制御情報を、プライマリセルの上りリンクサブフレームで物理上りリンク制御チャネルリソースを使用して送信する場合には、前記基地局装置によって物理ランダムアクセスチャネルリソースが設定されたセカンダリセルでの物理下りリンク共用チャネルを指示する物理下りリンク制御チャネルで送信される下りリンク制御情報を、前記物理上りリンク制御チャネルリソースを指示するために使用される情報と解釈し、上りリンク制御情報を、前記物理ランダムアクセスチャネルリソースが設定されたセカンダリセルの上りリンクサブフレームで物理上りリンク制御チャネルリソースを使用して送信する場合には、前記下りリンク制御情報を、前記上りリンク制御情報を送信する際の送信電力をセットするために使用される情報と解釈することを特徴としている。
【発明の効果】
【００３２】
移動局装置が、効率的に上りリンク制御情報を基地局装置へ送信することができる移動通信システム、基地局装置、移動局装置および通信方法を提供する。
【図面の簡単な説明】
【００３３】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態に係るセル集約を示す図である。
【図５】本発明の実施形態に係るサブフレームの設定の例を示す図である。
【図６】本発明の実施形態を説明する図である。
【図７】本発明の実施形態を説明する別の図である。
【図８】本発明の実施形態に係る下りリンク関連性セット指標の例を示す図である。
【発明を実施するための形態】
【００３４】
次に、本発明に係る実施形態について、図面を参照しながら説明する。図１は、本発明の実施形態における物理チャネルの一構成例を示す図である。ここで、物理チャネルは、時間領域、周波数領域によって定義される（構成される）。
【００３５】
下りリンクの物理チャネルは、物理下りリンク制御チャネル（ＰＤＣＣＨ：Physical Downlink Control Channel）、物理下りリンク共用チャネル（ＰＤＳＣＨ：Physical Downlink Shared Channel）などによって構成される。上りリンクの物理チャネルは、物理上りリンク共用チャネル（ＰＵＳＣＨ：Physical Uplink Shared Channel）、物理上りリンク制御チャネル（ＰＵＣＣＨ：Physical Uplink Control Channel）、物理ランダムアクセスチャネル（ＰＲＡＣＨ：Physical Random Access Channel）などによって構成される。
【００３６】
ＰＤＣＣＨは、下りリンクのスケジューリング情報（下りリンクアサインメント：downlink assignmentとも呼称される）や上りリンクのスケジューリング情報（上りリンクグラント：uplink grantとも呼称される）などの下りリンク制御情報（ＤＣＩ：Downlink Control Information）を送信（通知、指定）するために使用される物理チャネルである。ここで、下りリンク制御情報の送信に対して、複数のフォーマットが定義される。下りリンク制御情報のフォーマットは、ＤＣＩフォーマット（Downlink Control Information format）とも呼称される。
【００３７】
例えば、ＤＣＩフォーマット１は、１つのセルにおけるＰＤＳＣＨ（１つのＰＤＳＣＨコードワード（ＣＷ：Codeword））のスケジューリングに使用される。また、例えば、ＤＣＩフォーマット１Ａは、１つのセルにおけるＰＤＳＣＨ（１つのＰＤＳＣＨコードワード（ＣＷ：Codeword））のスケジューリングとＰＤＣＣＨオーダーによって開始（initiate）されたランダムアクセスプロシージャに使用される。また、例えば、ＤＣＩフォーマット２は、マルチアンテナポートモードでの１つのセルにおけるＰＤＳＣＨのスケジューリングに使用される。すなわち、ＤＣＩフォーマット１およびＤＣＩフォーマット１ＡおよびＤＣＩフォーマット２は、ＰＤＳＣＨのスケジューリングに使用される下りリンクアサインメントである。
【００３８】
例えば、下りリンクアサインメントを使用して、ＰＤＳＣＨに対するリソース割り当て情報（Resource block assignment）、ＰＤＳＣＨに対する変調方式および符号化率に関する情報（ＭＣＳ：Modulation and Coding Scheme）、ＰＵＣＣＨに対する送信電力制御コマンド（ＴＰＣコマンド：Transmission Power Control command for PUCCH）、下りリンクアサインメントインデックス（ＤＡＩ：Downlink Assignment Index）などの情報が送信される。すなわち、ＤＣＩフォーマットに、これらの情報を示すフィールドが定義され、情報ビットへマップされる。
【００３９】
また、例えば、ＤＣＩフォーマット０は、（シングルアンテナポート送信モードでの）１つのセルにおけるＰＵＳＣＨのスケジューリングに使用される。また、例えば、ＤＣＩフォーマット４は、マルチアンテナポートモードでの１つのセルにおけるＰＵＳＣＨのスケジューリングに使用される。すなわち、ＤＣＩフォーマット０およびＤＣＩフォーマット４は、ＰＵＳＣＨのスケジューリングに使用される上りリンクグラントである。
【００４０】
例えば、上りリンクグラントを使用して、ＰＵＳＣＨに対するリソース割り当て情報（Resource block assignment）、ＰＵＳＣＨに対する変調方式および符号化率に関する情報（ＭＣＳ：Modulation and Coding Scheme）、スケジュールされたＰＵＳＣＨに対する送信電力制御コマンド（ＴＰＣコマンド：Transmission Power Control command for scheduled PUSCH）、下りリンクアサインメントインデックス（ＤＡＩ：Downlink Assignment Index）などの情報が送信される。すなわち、ＤＣＩフォーマットに、これらの情報を示すフィールドが定義され、情報ビットへマップされる。
【００４１】
ＰＤＳＣＨは、下りリンクデータ（下りリンク共用チャネル（ＤＬ−ＳＣＨ：Downlink Shared Channel）に対するトランスポートブロック）またはページング情報（ページングチャネル、ＰＣＨ：Paging Channel）を送信するために使用されるチャネルである。基地局装置は、ＰＤＣＣＨによって割り当てたＰＤＳＣＨを使用して、下りリンクデータを移動局装置へ送信する。
【００４２】
ここで、下りリンクデータとは、例えば、ユーザーデータを示しており、ＤＬ−ＳＣＨは、トランスポートチャネルである。また、下りリンクデータをＰＤＳＣＨで送信する単位は、下りリンクトランスポートブロック（ＴＢ：Transport Block）と呼称され、下りリンクトランスポートブロックは、ＭＡＣ（Medium Access Control）層で取り扱われる単位である。また、下りリンクトランスポートブロックは、物理層（Physical layer）において、コードワードに対応付けられる。例えば、基地局装置は、マルチアンテナポートモードでのＰＤＳＣＨ送信によって（ＰＤＳＣＨにＭＩＭＯ ＳＭ（Multiple Input Multiple Output Spatial Multiplexing）を適用することによって）、下りリンクトランスポートブロックを２つのコードワードで送信することができる。
【００４３】
ＰＵＳＣＨは、上りリンクデータ（上りリンク共用チャネル（ＵＬ−ＳＣＨ：Uplink Shared Channel）に対するトランスポートブロック）を送信するために使用される物理チャネルである。移動局装置は、基地局装置から送信されたＰＤＣＣＨによって割り当てられたＰＵＳＣＨを使用して、上りリンクデータを基地局装置へ送信する。
【００４４】
ここで、基地局装置が、移動局装置をスケジューリングした場合には、上りリンク制御情報もＰＵＳＣＨを使用して送信される。上りリンク制御情報には、チャネル状態情報（ＣＳＩ：Channel State Information）が含まれる。また、チャネル状態情報には、チャネル品質識別子（ＣＱＩ：Channel Quality Indicator）、プレコーディングマトリックス識別子（ＰＭＩ：Precoding Matrix Indicator）、ランク識別子（ＲＩ：Rank Indicator）が含まれる（によって構成される）。
【００４５】
また、上りリンク制御情報には、ＨＡＲＱ（ハイブリッド自動再送要求：Hybrid Automatic Repeat Request）における制御情報が含まれる。ここで、ＨＡＲＱにおける制御情報には、下りリンクデータに対するＡＣＫ／ＮＡＣＫ（肯定応答：Positive Acknowledgement／否定応答：Negative Acknowledgement、ＡＣＫまたはＮＡＣＫ）を示す情報が含まれる。また、ＨＡＲＱにおける制御情報には、ＤＴＸ（Discontinuous Transmission）を示す情報が含まれる。ＤＴＸを示す情報とは、移動局装置が、基地局装置から送信されるＰＤＣＣＨおよび／またはＰＤＳＣＨを検出しなかった（モニタしなかった）ことを示す情報が含まれる。
【００４６】
また、上りリンク制御情報には、移動局装置が上りリンクデータを送信するためのリソースの割り当てを要求するために使用されるスケジューリングリクエスト（ＳＲ：Scheduling Request）が含まれる。
【００４７】
ここで、上りリンクデータとは、例えば、ユーザーデータを示しており、ＵＬ−ＳＣＨは、トランスポートチャネルである。また、上りリンクデータをＰＵＳＣＨで送信する単位は、上りリンクトランスポートブロックと呼称され、上りリンクトランスポートブロックは、ＭＡＣ層で取り扱われる単位である。また、上りリンクトランスポートブロックは、物理層（Physical layer）において、コードワードに対応付けられる。例えば、移動局装置は、マルチアンテナポートモードでのＰＵＳＣＨ送信によって（ＰＵＳＣＨにＭＩＭＯ ＳＭを適用することによって）、上りリンクトランスポートブロックを２つのコードワードで送信することができる。
【００４８】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（ＲＲＣシグナリング：Radio Resource Control Signaling）を送受信する。また、例えば、基地局装置と移動局装置は、ＭＡＣ層において、ＭＡＣ（Medium Access Control）コントロールエレメントを送受信する。ここで、ＲＲＣシグナリングおよび／またはＭＡＣコントロールエレメントは、上位層の信号（Higher layer signaling）とも呼称される。例えば、移動局装置は、基地局装置から送信された上位層の信号に従って、移動局装置の上位層による設定を行う。
【００４９】
ＰＵＣＣＨは、上述したような上りリンク制御情報を送信するために使用される物理チャネルである。
【００５０】
ＰＲＡＣＨは、ランダムアクセスプリアンブルを送信する（プリアンブル系列を通知する）ために使用される物理チャネルである。ＰＲＡＣＨは、主に、移動局装置による基地局装置へのアクセス手段として使用され、例えば、プリアンブル系列として、６ビットの情報によって表現される６４種類のシーケンスが定義される。
【００５１】
また、基地局装置と移動局装置は、時間領域の同期をとることを目的として、ＰＲＡＣＨを送受信し、例えば、移動局装置は、上りリンク送信タイミングを基地局装置の受信タイミングウィンドウに合わせるために必要な送信タイミング調整情報（タイミングアドバンス（ＴＡ：Timing Advance））を要求するためにＰＲＡＣＨを使用する。また、例えば、ＰＲＡＣＨは、初期コネクション確立（initial connection establishment）プロシージャ、ハンドオーバプロシージャ、コネクション再確立（connection re-establishment）プロシージャ、上りリンク無線リソースの割り当ての要求に使用される。ここで、移動局装置は、基地局装置によって設定されたＰＲＡＣＨリソースを使用してランダムアクセスプリアンブルを送信する。
［基地局装置の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００５２】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５３】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５４】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００５５】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００５６】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００５７】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００５８】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００５９】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６０】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６１】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００６２】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６３】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００６４】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００６５】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００６６】
［移動局装置の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００６７】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００６８】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００６９】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７０】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７１】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００７２】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７３】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７４】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７５】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【００７６】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００７７】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００７８】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００７９】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００８０】
［セル集約（キャリア集約）について］
図４は、本実施形態に係るセル集約（または、キャリア集約）を説明する図である。本実施形態において、セル集約は、上りリンクと下りリンクでサポートされ、例えば、各サービングセルは１１０リソースブロックまでの送信帯域幅を持つことができる。
【００８１】
図４は、３つのサービングセル（サービングセル１、サービングセル２、サービングセル３）が集約されていることを示している。ここで、基地局装置は、通信に使用するかもしれない（ＰＤＣＣＨおよび／またはＰＤＳＣＨおよび／またはＰＵＳＣＨを割り当てるかもしない）１つまたは複数のサービングセルのセットを、移動局装置に対して設定する。例えば、基地局装置は、サービングセルのセットを、ＲＲＣシグナリング（ある移動局装置に対する専用の信号（dedicated signaling）でも良い）を使用して、移動局装置に対して設定する。
【００８２】
また、基地局装置は、設定したサービングセルのセットを構成するサービングセルそれぞれを、活性化および／または非活性化する。例えば、基地局装置は、サービングセルそれぞれを、ＭＡＣコントロールエレメントを使用して活性化および／または非活性化する。
【００８３】
ここで、図４において、集約された複数のサービングセルのうちの、例えば、１つのサービングセルは、プライマリセル（Ｐｃｅｌｌ：Primary cell）と定義される。例えば、プライマリセルは、ＬＴＥリリース８／リリース９のセルと同等の機能を持つサービングセルとして定義される。また、例えば、プライマリセルは、移動局装置が初期コネクション確立（initial connection establishment）プロシージャを行うセル、または、移動局装置がコネクション再確立（connection re-establishment）プロシージャを開始するセル、または、ハンドオーバプロシージャ中にプライマリセルとして指示されたセルとして定義される。ここで、基地局装置は、プライマリセルを、ＲＲＣシグナリング（dedicated signalingでも良い）を使用して移動局装置へ指示することができる。
【００８４】
また、図４において、プライマリセルを除いたサービングセルは、セカンダリセル（Ｓｃｅｌｌ：Secondary cell）と定義される。セカンダリセルは、主に、移動局装置に対して追加の無線リソースを提供するために使用され、ＰＤＳＣＨ、ＰＵＳＣＨ、ＰＲＡＣＨでの情報の送受信に使用される。例えば、基地局装置は、セカンダリセルを、ＲＲＣシグナリング（dedicated signalingでも良い）を使用して移動局装置へ指示することができる。
【００８５】
ここで、下りリンクにおいてサービングセルに対応するキャリアは、下りリンクコンポーネントキャリア（ＤＬＣＣ：Downlink Component Carrier）と定義される。また、上りリンクにおいてサービングセルに対応するキャリアは、上りリンクコンポーネントキャリア（ＵＬＣＣ：Uplink Component Carrier）と定義される。
【００８６】
また、下りリンクにおいてプライマリセルに対応するキャリアは、下りリンクプライマリコンポーネントキャリア（ＤＬＰＣＣ:Downlink Primary Component Carrier）と定義される。また、下りリンクにおいてセカンダリセルに対応するキャリアは、下りリンクセカンダリコンポーネントキャリア（ＤＬＳＣＣ:Downlink Secondary Component Carrier）と定義される。また、上りリンクにおいてプライマリセルに対応するキャリアは、上りリンクプライマリコンポーネントキャリア（ＵＬＰＣＣ：Uplink Primary Component Carrier）と定義される。さらに、上りリンクにおいてセカンダリセルに対応するキャリアは、上りリンクセカンダリコンポーネントキャリア（ＵＬＳＣＣ:Uplink Secondary Component Carrier）と定義される。
【００８７】
また、図４において、基地局装置と移動局装置は、物理チャネル（例えば、ＰＤＣＣＨ、ＰＤＳＣＨ、ＰＵＳＣＨ、ＰＵＣＣＨ、ＰＲＡＣＨ）それぞれを、いずれか１つのサービングセルを使用して送受信する。例えば、基地局装置と移動局装置は、１つのサービングセル（ＤＬＣＣ）を使用して１つのＰＤＣＣＨを送受信する。また、例えば、基地局装置と移動局装置は、１つのサービングセル（ＵＬＣＣ）を使用して１つのＰＵＳＣＨを送受信する。
【００８８】
また、図４において、基地局装置は、サービングセル毎に送信される下りリンクアサインメントおよび上りリンクグラントに、下りリンクアサインメントおよび上りリンクグラントが対応するサービングセルを示す情報（キャリアインディケータ: Carrier Indicator）を含むか否かを移動局装置に通知することができる。
【００８９】
［ランダムアクセスプロシージャについて］
本実施形態に係るランダムアクセスプロシージャについて説明する。本実施形態において、基地局装置は、プライマリセルのＰＲＡＣＨに関する設定（ＲＡＣＨに関する設定でも良い、ＰＲＡＣＨリソースのセットを示す情報、ＰＲＡＣＨリソースを示す情報とも記載する）を移動局装置へ送信する。また、基地局装置は、少なくとも１つのセカンダリセルのＰＲＡＣＨに関する設定を移動局装置へ送信する。
【００９０】
以下、基地局装置によってＰＲＡＣＨに関する設定が送信されたセカンダリセル（ＰＲＡＣＨリソースのセットが設定されたセカンダリセル、ＰＲＡＣＨリソースが設定されたセカンダリセル）を、セカンダリプライマリセル（ＳＰｃｅｌｌ：Secondary Primary Cell）とも呼称する。
【００９１】
さらに、移動局装置は、設定されたＰＲＡＣＨリソースのセットの中から１つのＰＲＡＣＨリソースを選択し、選択したＰＲＡＣＨリソースを使用して、ランダムアクセスプリアンブルを基地局装置へ送信する（ランダムアクセスメッセージ１）。ここで、移動局装置は、プライマリセルのＰＲＡＣＨリソースとセカンダリプライマリセルのＰＲＡＣＨリソースを使用して、同一サブフレームにおいて、複数のランダムアクセスプリアンブルを基地局装置へ送信しても良い。
【００９２】
また、基地局装置は、プライマリセルおよび／またはセカンダリプライマリセルでのＰＲＡＣＨの送信（ランダムアクセスプリアンブルの送信でも良い）を指示する下りリンク制御情報を、ＰＤＣＣＨを使用して移動局装置へ送信する。すなわち、基地局装置は、ＲＲＣシグナリングおよびＰＤＣＣＨを使用して、ＰＲＡＣＨ送信の開始を指示することができる。
【００９３】
さらに、移動局装置からランダムアクセスプリアンブルを受信した基地局装置は、受信したランダムアクセスプリアンブルに基づいて、サービングセルの物理上りリンクチャネルに対するタイミング調整の量（the amount of timing adjustment）を算出する。また、基地局装置は、移動局装置から受信したランダムアクセスプリアンブルに対応して、物理上りリンクチャネルに対するタイミング調整の量を示す情報（ＴＡコマンド: Timing Advance command）を含むランダムアクセスレスポンスを、移動局装置へ送信する（ランダムアクセスメッセージ２）。ここで、物理上りリンクチャネルには、ＰＵＳＣＨおよび／またはＰＵＣＣＨが含まれる。
【００９４】
この際、基地局装置は、プライマリセルで受信したランダムアクセスプリアンブルに対応して、ランダムアクセスレスポンスをプライマリセルのＰＤＳＣＨで送信する。また、基地局装置は、セカンダリプライマリセルで受信したランダムアクセスプリアンブルに対応して、ランダムアクセスレスポンスをプライマリセルのＰＤＳＣＨまたはセカンダリプライマリセルのＰＤＳＣＨで送信する。
【００９５】
さらに、移動局装置は、基地局装置によって通知されたインデックス（番号）のランダムアクセスプリアンブルを送信した場合には、ランダムアクセスレスポンスの受信に成功した後に、ランダムアクセスプロシージャを終了する。また、移動局装置は、移動局装置によって選択されたランダムアクセスプリアンブルを送信した場合には、ランダムアクセスレスポンスの受信に成功した後に、ランダムアクセスメッセージ３を基地局装置へ送信し、さらに、ランダムアクセスメッセージ４を基地局装置から受信する。
【００９６】
（第１の実施形態）
次に、基地局装置１００および移動局装置２００を用いた移動通信システムにおける第１の実施形態を説明する。第１の実施形態では、基地局装置は、サービングセルそれぞれに対する下りリンクおよび上りリンクのサブフレームの設定（以下、サブフレームの設定、上りリンク−下りリンクの設定、フレーム構造に関する設定とも記載する）を指示する情報を移動局装置へ送信し、移動局装置は、基地局装置によってＰＲＡＣＨリソースが設定されたセカンダリセルの上りリンクサブフレームでＰＵＣＣＨリソースを使用して、上りリンク制御情報を基地局装置へ送信する。
【００９７】
また、基地局装置は、サービングセルそれぞれに対する下りリンクおよび上りリンクのサブフレームの設定を指示する情報を移動局装置へ送信し、移動局装置は、プライマリセル、または、基地局装置によってＰＲＡＣＨリソースが設定されたセカンダリセルのいずれかの上りリンクサブフレームでＰＵＣＣＨリソースを使用して、上りリンク制御情報を基地局装置へ送信する。
【００９８】
すなわち、基地局装置は、サービングセルそれぞれに対する下りリンクおよび上りリンクのサブフレームの設定を指示する情報を移動局装置へ送信し、移動局装置は、プライマリセル、または、基地局装置によってＰＲＡＣＨリソースが設定されたセカンダリセルのいずれかを選択し、選択したサービングセルの上りリンクサブフレームでＰＵＣＣＨリソースを使用して、上りリンク制御情報を基地局装置へ送信する。
【００９９】
また、移動局装置は、プライマリセルのサブフレームが上りリンクサブフレームの場合には、プライマリセルのＰＵＣＣＨリソースを使用して、上りリンク制御情報を基地局装置へ送信する。
【０１００】
すなわち、移動局装置は、プライマリセルのサブフレームが上りリンクサブフレームで、ＰＲＡＣＨリソースが設定されたセカンダリセルのサブフレームが上りリンクサブフレームの場合には、プライマリセルのＰＵＣＣＨリソースを使用して、上りリンク制御情報を基地局装置へ送信する。
【０１０１】
また、移動局装置は、プライマリセルのサブフレームが下りリンクサブフレームで、ＰＲＡＣＨリソースが設定されたセカンダリセルのサブフレームが上りリンクサブフレームの場合には、ＰＲＡＣＨリソースが設定されたセカンダリセルのＰＵＣＣＨリソースを使用して、上りリンク制御情報を基地局装置へ送信する。
【０１０２】
ここで、上りリンク制御情報には、チャネル状態情報が含まれる。また、上りリンク制御情報には、ＨＡＲＱにおける制御情報が含まれる。また、上りリンク制御情報には、スケジューリングリクエストが含まれる。また、基地局装置と移動局装置によって、少なくともＴＤＤへ適用される無線フレーム構造がサポートされる。
【０１０３】
図５は、下りリンクおよび上りリンクのサブフレームの設定の例を示している。すなわち、図５に示すようなサブフレームの設定が、移動通信システム（基地局装置と移動局装置）によってサポートされる。図５では、０から９のサブフレーム番号で示される１０サブフレームにおける上りリンク（上りリンクサブフレーム）と下りリンク（下りリンクサブフレーム）の対応が示されている。ここで、１０サブフレーム（例えば、１０ｍｓ）は、１無線フレーム（One radio frame）に対応する。
【０１０４】
また、図５における各サブフレームにおいて、Ｄは、下りリンク送信に対してリザーブ（定義）されたサブフレーム（下りリンクサブフレーム）を示している。また、Ｕは、上りリンク送信に対してリザーブ（定義）されたサブフレーム（上りリンクサブフレーム）を示している。
【０１０５】
また、Ｓは、スペシャルサブフレームを示している。ここで、スペシャルサブフレームとは、例えば、ＤｗＰＴＳ（下りリンクパイロットタイムスロット、Downlink Pilot Time slot）、ＧＰ（ガードピリオド、Guard Period）、ＵｐＰＴＳ（上りリンクパイロットタイムスロット、Uplink Pilot Time slot）の３つのフィールドを含む（によって構成される）サブフレームを示している。ここで、ＤｗＰＴＳは下りリンク送信に対して使用され、ＵｐＰＴＳは上りリンク送信に対して使用される。
【０１０６】
さらに、図５に示すようなサブフレームの設定において、５サブフレーム（５ｍｓ）と１０サブフレーム（１０ｍｓ）の切り替えポイント周期（downlink-to-uplink switch-point periodicity）がサポートされる。
【０１０７】
ここで、複数のサービングセルが集約された場合（すなわち、基地局装置によって複数のサービングセルが設定された場合）、基地局装置は、サービングセルそれぞれに対するサブフレームの設定を指示する情報を移動局装置へ送信する。すなわち、移動局装置は、基地局装置によって送信されたサービングセルそれぞれに対するサブフレームの設定に従って、情報を基地局装置へ送信する。
【０１０８】
例えば、基地局装置は、サービングセルそれぞれに対するサブフレームの設定を指示する情報を、ＲＲＣシグナリング（dedicated signalingでも良い）を使用して送信する。例えば、基地局装置は、あるサービングセルに対するサブフレームの設定を指示する情報として１（uplink-downlink configuration：１）を送信し、別のサービングセルに対するサブフレームの設定を指示する情報として３（uplink-downlink configuration：３）を送信する。
【０１０９】
図６は、４つのサービングセル（サービングセル１、サービングセル２、サービングセル３、サービングセル４）が集約されていることを示している。すなわち、図６において、基地局装置は、移動局装置に対して４つのサービングセルを設定している。
【０１１０】
図６において、サービングセル１は、プライマリセルを示している。すなわち、サービングセル１は、例えば、移動局装置が初期コネクション確立プロシージャを行うセル、または、移動局装置がコネクション再確立プロシージャを開始するセル、または、ハンドオーバプロシージャ中にプライマリセルとして基地局装置によって指示されたセルが含まれる。
【０１１１】
ここで、移動局装置は、プライマリセルの上りリンクサブフレームでＰＵＣＣＨリソースを使用して、上りリンク制御情報を基地局装置へ送信する。
【０１１２】
また、基地局装置は、サービングセルそれぞれに対するサブフレームの設定を指示する情報を移動局装置へ送信する。図６では、基地局装置が、サービングセル１とサービングセル２に対して同じサブフレームの設定を指示する情報を送信し、サービングセル３とサービングセル４に対して同じサブフレームの設定を指示する情報を送信していることを示している。以下、基地局装置によって同じサブフレームの設定を指示する情報が送信された１つまたは複数のサービングセルを、サービングセルグループとも記載する。
【０１１３】
さらに、基地局装置は、プライマリセルに対するＰＲＡＣＨに関する設定を移動局装置へ送信する。ここで、ＰＲＡＣＨに関する設定には、ＰＲＡＣＨリソース（時間リソースおよび／または周波数リソース）、ランダムアクセスプリアンブルフォーマット、移動局装置がランダムアクセスプリアンブルを送信可能なＰＲＡＣＨを規定する情報、ランダムアクセスプリアンブルを送信可能な最大数に関する設定（情報）が含まれる。すなわち、基地局装置は、プライマリセルに対するＰＲＡＣＨリソースのセットを示す情報を移動局装置へ送信し、プライマリセルのＰＲＡＣＨリソースのセットを設定する。
【０１１４】
同様に、基地局装置は、少なくとも１つのセカンダリセルに対するＰＲＡＣＨに関する設定を移動局装置へ送信する。すなわち、基地局装置は、少なくとも１つのセカンダリセルに対するＰＲＡＣＨリソースのセットを示す情報を移動局装置へ送信し、少なくとも１つのセカンダリセルのＰＲＡＣＨリソースのセットを設定する。
【０１１５】
ここで、例えば、基地局装置は、プライマリセルに対するＰＲＡＣＨに関する設定、および／または、少なくとも１つのセカンダリセルに対するＰＲＡＣＨに関する設定を、ＲＲＣシグナリング（dedicated signalingでも良い）を使用して、移動局装置へ送信する。移動局装置は、基地局装置によって送信されたＲＲＣシグナリングに含まれるＰＲＡＣＨに関する設定に従って、プライマリセル、および／または、少なくとも１つのセカンダリセルのＰＲＡＣＨに関する設定を行う。
【０１１６】
ここで、上述したように、基地局装置によってＰＲＡＣＨに関する設定が送信されたセカンダリセル（ＰＲＡＣＨリソースのセットが設定されたセカンダリセル、ＰＲＡＣＨリソースが設定されたセカンダリセル）を、セカンダリプライマリセルとも呼称する。また、下りリンクにおいてセカンダリプライマリセルに対応するキャリアを、下りリンクセカンダリプライマリコンポーネントキャリア（ＤＬＳＰＣＣ:Downlink Secondary Primary Component Carrier）とも記載する。また、上りリンクにおいてセカンダリプライマリセルに対応するキャリアを、上りリンクセカンダリプライマリコンポーネントキャリア（ＵＬＳＰＣＣ：Uplink Secondary Primary Component Carrier）とも記載する。
【０１１７】
図６において、サービングセル３は、セカンダリプライマリセルを示している。すなわち、サービングセル３は、基地局装置によってＰＲＡＣＨに関する設定が送信されたセカンダリセルを示している。例えば、セカンダリプライマリセルは、プライマリセルを含まないサービングセルグループ（図６におけるサービンググループ２）の中のセカンダリセルから設定されても良い。
【０１１８】
ここで、基地局装置は、サービングセルそれぞれに対する上りリンクの設定にＰＲＡＣＨに関する設定を含めて移動局装置へ送信する。すなわち、基地局装置は、プライマリセルに対する上りリンクの設定にＰＲＡＣＨに関する設定を含めて移動局装置へ送信する。また、基地局装置は、セカンダリセルに対する上りリンクの設定にＰＲＡＣＨに関する設定を含めて移動局装置へ送信する。
【０１１９】
すなわち、基地局装置によるセカンダリプライマリセルの設定は、上りリンクの設定にリンクされる。移動局装置は、セカンダリセルに対する上りリンクの設定にＰＲＡＣＨに関する設定が含まれている場合には、セカンダリセルをセカンダリプライマリセルと認識する。また、移動局装置は、セカンダリセルに対する上りリンクの設定にＰＲＡＣＨに関する設定が含まれていない場合には、セカンダリセルを（通常の）セカンダリセルと認識する。すなわち、図６において、基地局装置は、サービングセル３に対する上りリンクの設定に、ＰＲＡＣＨに関する設定を含めて移動局装置へ送信する。
【０１２０】
ここで、移動局装置は、セカンダリプライマリセルの上りリンクサブフレームでＰＵＣＣＨリソースを使用して、上りリンク制御情報を基地局装置へ送信する。すなわち、移動局装置は、基地局装置によってＰＲＡＣＨリソースが設定されたセカンダリセルの上りリンクサブフレームでＰＵＣＣＨリソースを使用して、上りリンク制御情報を基地局装置へ送信する。
【０１２１】
すなわち、図６において、移動局装置は、プライマリセル、または、基地局装置によってＰＲＡＣＨリソースが設定されたセカンダリセルのいずれかの上りリンクサブフレームでＰＵＣＣＨリソースを使用して、上りリンク制御情報を基地局装置へ送信する。
【０１２２】
図７は、移動局装置による上りリンク制御情報の送信方法を説明する図である。ここで、図７は、図６に対応している。図７では、例として、基地局装置が、サービングセル１とサービングセル２に対するサブフレームの設定として３（uplink-downlink configuration：３）を送信し、サービングセル３とサービングセル４に対するサービングセルの設定として１（uplink-downlink configuration：１）を送信していることを示している。
【０１２３】
また、図７は、サブフレームｎ−５からサブフレームｎ＋１０までのサブフレームを示している。図７において、Ｄは、下りリンク送信に対してリザーブされたサブフレーム（下りリンクサブフレーム）を示している。また、Ｕは、上りリンク送信に対してリザーブされたサブフレーム（上りリンクサブフレーム）を示している。また、Ｓは、スペシャルサブフレームを示している。
【０１２４】
上述したように、図７において、移動局装置は、プライマリセル、または、セカンダリプライマリセルのいずれかの上りリンクサブフレームでＰＵＣＣＨリソースを使用して、上りリンク制御情報を送信する。以下、例として、移動局装置が、ＨＡＲＱにおける制御情報を送信する際の動作について記載するが、同様の動作が、他の上りリンク制御情報を送信する際にも適用できることは勿論である。
【０１２５】
図７において、移動局装置は、対応するＰＤＣＣＨの検出によって指示されたＰＤＳＣＨ送信に対して、基地局装置によって割り当てられたＰＵＣＣＨリソースを使用する。また、この際、例えば、移動局装置は、２０ビットのＨＡＲＱにおける制御情報を送信可能なＰＵＣＣＨフォーマットを使用する。また、例えば、移動局装置は、２０ビットのＨＡＲＱにおける制御情報と１ビットのスケジューリングリクエスト（合計２１ビットの上りリンク制御情報）を送信可能なＰＵＣＣＨフォーマットを使用する。移動局装置は、基地局装置によってＰＤＳＣＨを使用して送信された下りリンクデータ（下りリンクトランスポートブロック）に対するＨＡＲＱにおける制御情報を送信する。
【０１２６】
ここで、移動局装置によってＨＡＲＱにおける制御情報が送信される上りリンクサブフレームに対応する下りリンクサブフレームは、仕様等によって事前に定義される。図８は、上りリンクサブフレームに対応する下りリンク関連性セット指標Ｋ（Downlink association set indexとも呼称される）の例を示している。
【０１２７】
図８において、例えば、サブフレームの設定として１（uplink-downlink configuration：１）が送信された移動局装置は、サブフレーム番号２の上りリンクサブフレームにおいて、６サブフレーム前（サブフレーム番号６に対応する）に送信された下りリンクデータ（設定１においてサブフレーム番号６はＤである）と７サブフレーム前（サブフレーム番号５に対応する）に送信された下りリンクデータ（設定１においてサブフレーム番号５はＤである）に対する（複数の）ＨＡＲＱにおける制御情報を送信する。
【０１２８】
同様に、例えば、サブフレームの設定として３（uplink-downlink configuration：３）が送信された移動局装置は、サブフレーム番号４の上りリンクサブフレームにおいて、４サブフレーム前（サブフレーム番号０に対応する）に送信された下りリンクデータ（設定３においてサブフレーム番号０はＤである）と５サブフレーム前（サブフレーム番号９に対応する）に送信された下りリンクデータ（設定３においてサブフレーム番号９はＤである）に対する（複数の）ＨＡＲＱにおける制御情報を送信する。
【０１２９】
図７に戻り、サブフレームｎにおいて、移動局装置は、プライマリセルの上りリンクサブフレームでＰＵＣＣＨリソースを使用して、ＨＡＲＱにおける制御情報を送信する。ここで、移動局装置は、図８に示されるような下りリンク関連性セット指標に従って、サブフレームｎ−５およびサブフレームｎ−４において送信された下りリンクデータに対するＨＡＲＱにおける制御情報を送信する。
【０１３０】
ここで、移動局装置は、プライマリセルのサブフレームが上りリンクサブフレームの場合には、プライマリセルの上りリンクサブフレームでＰＵＣＣＨリソースを使用して、ＨＡＲＱにおける制御情報を送信する。すなわち、移動局装置は、プライマリセルのサブフレームが上りリンクサブフレームで、セカンダリプライマリセルのサブフレームが下りリンクサブフレームの場合には、プライマリセルの上りリンクサブフレームでＰＵＣＣＨリソースを使用して、ＨＡＲＱにおける制御情報を送信する。
【０１３１】
また、移動局装置は、プライマリセルのサブフレームが下りリンクサブフレームで、セカンダリプライマリセルのサブフレームが上りリンクサブフレームの場合には、セカンダリプライマリセルの上りリンクサブフレームでＰＵＣＣＨリソースを使用して、ＨＡＲＱにおける制御情報を送信する。すなわち、この際、移動局装置は、セカンダリプライマリセルに対してＰＵＣＣＨリソースが設定されている場合には、セカンダリプライマリセルの上りリンクサブフレームでＰＵＣＣＨリソースを使用して、ＨＡＲＱにおける制御情報を送信することができる。
【０１３２】
さらに、移動局装置は、プライマリセルのサブフレームが上りリンクサブフレームで、セカンダリプライマリセルのサブフレームが上りリンクサブフレームの場合には、プライマリセルの上りリンクサブフレームでＰＵＣＣＨリソースを使用して、ＨＡＲＱにおける制御情報を送信する。すなわち、この際、移動局装置は、セカンダリプライマリセルに対してＰＵＣＣＨリソースが設定されているか否かに関わらず、プライマリセルの上りリンクサブフレームでＰＵＣＣＨリソースを使用して、ＨＡＲＱにおける制御情報を送信することができる。
【０１３３】
すなわち、移動局装置は、基地局装置によって送信されたサブフレームの設定に従って、ＨＡＲＱにおける制御情報を送信する際のサービングセル（プライマリセルまたはセカンダリプライマリセル）を選択する（切り換える）。すなわち、移動局装置は、プライマリセルのサブフレームの状態およびセカンダリプライマリセルのサブフレームの状態に従って、ＨＡＲＱにおける制御情報を送信する際のサービングセルを選択する（切り換える）。
【０１３４】
すなわち、移動局装置は、プライマリセルのサブフレームが上りリンクサブフレームである場合には、（常に）プライマリセルの上りリンクサブフレームでＰＵＣＣＨリソースを使用して、ＨＡＲＱにおける制御情報を送信する。また、移動局装置は、プライマリセルのサブフレームが下りリンクサブフレームである場合には、セカンダリプライマリセルのサブフレームを確認（認識）することによって、セカンダリプライマリセルの上りリンクサブフレームでＰＵＣＣＨリソースを使用して、ＨＡＲＱにおける制御情報を送信することができる。
【０１３５】
ここで、移動局装置は、全てのサービングセルに渡って送信された（複数の）下りリンクデータに対するＨＡＲＱにおける制御情報を送信することができる。すなわち、サブフレームｎにおいて、移動局装置は、サブフレームｎ−５およびサブフレームｎ−４においてプライマリセルおよび（セカンダリプライマリセルを含む３つの）セカンダリセルで送信された下りリンクデータに対するＨＡＲＱにおける制御情報を送信することができる。
【０１３６】
すなわち、移動局装置が、ＨＡＲＱにおける制御情報を送信する際の下りリンク関連性セット指標は、全てのサービングセルに対して適用される。移動局装置は、下りリンク関連性セット指標によって指示される下りリンクサブフレームにおいて、全てのサービングセルに渡って送信された（複数の）下りリンクデータに対するＨＡＲＱにおける制御情報を送信することができる。
【０１３７】
また、移動局装置は、ある上りリンクサブフレームにおいて、ある下りリンクデータに対するＨＡＲＱにおける制御情報を送信した場合には、別の上りリンクフレームにおいて、その下りリンクデータに対するＨＡＲＱにおける制御情報を送信しない。すなわち、移動局装置は、既に基地局装置へ送信したＨＡＲＱにおける制御情報に対応する下りリンクサブフレームを、下りリンク関連性セット指標によって指示される下りリンクサブフレームの中から除外する（取り除く）。
【０１３８】
さらに、サブフレームｎ＋３において、移動局装置は、セカンダリプライマリセルの上りリンクサブフレームでＰＵＣＣＨリソースを使用して、ＨＡＲＱにおける制御情報を送信する。ここで、移動局装置は、下りリンク関連性セット指標と既に基地局装置へ送信したＨＡＲＱにおける制御情報に従って、サブフレームｎ−３において送信された下りリンクデータに対するＨＡＲＱにおける制御情報を送信する。すなわち、サブフレームｎ−４において送信された下りリンクデータに対するＨＡＲＱにおける制御情報を、サブフレームｎにおいて既に基地局装置へ送信した移動局装置は、サブフレームｎ−３において送信された下りリンクデータ（のみ）に対するＨＡＲＱにおける制御情報を送信する。
【０１３９】
また、サブフレームｎ＋３において、移動局装置は、セカンダリプライマリセルの上りリンクサブフレームでＰＵＣＣＨリソースを使用して、ＨＡＲＱにおける制御情報を送信する。上述したように、移動局装置は、プライマリセルのサブフレームが下りリンクサブフレームで、セカンダリプライマリセルのサブフレームが上りリンクサブフレームの場合には、セカンダリプライマリセルの上りリンクサブフレームでＰＵＣＣＨリソースを使用して、ＨＡＲＱにおける制御情報を送信する。
【０１４０】
ここで、サブフレームｎ＋３において、移動局装置は、サブフレームｎ−３においてプライマリセルおよび（セカンダリプライマリセルを含む３つの）セカンダリセルで送信された下りリンクデータに対するＨＡＲＱにおける制御情報を送信することができる。
【０１４１】
同様に、サブフレームｎ＋４において、移動局装置は、セカンダリプライマリセルの上りリンクサブフレームでＰＵＣＣＨリソースを使用して、ＨＡＲＱにおける制御情報を送信する。ここで、サブフレームｎ＋４において、移動局装置は、サブフレームｎにおいて（セカンダリプライマリセルを含む２つの）セカンダリセルで送信された下りリンクデータに対するＨＡＲＱにおける制御情報を送信することができる。
【０１４２】
また、サブフレームｎ＋８において、移動局装置は、プライマリセルの上りリンクサブフレームでＰＵＣＣＨリソースを使用して、ＨＡＲＱにおける制御情報を送信する。上述したように、移動局装置は、プライマリセルのサブフレームが上りリンクサブフレームで、セカンダリプライマリセルのサブフレームが上りリンクサブフレームの場合には、プライマリセルの上りリンクサブフレームでＰＵＣＣＨリソースを使用して、ＨＡＲＱにおける制御情報を送信する。
【０１４３】
ここで、サブフレームｎ＋８において、移動局装置は、サブフレームｎ＋１およびサブフレームｎ＋２においてプライマリセルおよび（セカンダリプライマリセルを含む３つの）セカンダリセルで送信された下りリンクデータに対するＨＡＲＱにおける制御情報を送信することができる。
【０１４４】
同様に、サブフレームｎ＋９において、移動局装置は、プライマリセルの上りリンクサブフレームでＰＵＣＣＨリソースを使用して、ＨＡＲＱにおける制御情報を送信する。ここで、サブフレームｎ＋９において、移動局装置は、サブフレームｎ＋３およびサブフレームｎ＋４においてプライマリセルおよび１つのセカンダリセルで送信された下りリンクデータに対するＨＡＲＱにおける制御情報を送信することができる。
【０１４５】
同様に、サブフレームｎ＋１０において、移動局装置は、プライマリセルの上りリンクサブフレームでＰＵＣＣＨリソースを使用して、ＨＡＲＱにおける制御情報を送信する。ここで、サブフレームｎ＋１０において、移動局装置は、サブフレームｎ＋５およびサブフレームｎ＋６において（セカンダリプライマリセルを含む２つの）セカンダリセルで送信された下りリンクデータに対するＨＡＲＱにおける制御情報を送信することができる。
【０１４６】
ここで、移動局装置に対してセカンダリプライマリセルが複数設定されている場合、移動局装置は、いずれかの方法に基づいて選択されたセカンダリプライマリセルのＰＵＣＣＨリソースを使用して、ＨＡＲＱにおける制御情報を送信する。例えば、移動局装置は、サービングセルに対して割り振られるインデックス番号（セルインデックス）が最も小さいセカンダリプライマリセルのＰＵＣＣＨリソースを優先的に使用して、ＨＡＲＱにおける制御情報を送信する。
【０１４７】
上記までに示したように、移動局装置が、プライマリセル、または、セカンダリプライマリセルのいずれかの上りリンクサブフレームで送信されるＰＵＣＣＨリソースを使用して、上りリンク制御情報を送信することによって、上りリンク制御情報を遅延なく送信することができ、効率的な上りリンク制御情報の送信が可能となる。
【０１４８】
また、移動局装置が、プライマリセル、または、セカンダリプライマリセルのいずれかの上りリンクサブフレームで送信されるＰＵＣＣＨリソースを使用して、上りリンク制御情報を送信することによって、同一サブフレームにおける複数のＰＵＣＣＨリソースを使用した上りリンク制御情報の送信を避けることができ、移動局装置における送信電力を低く保つことが可能となる。
【０１４９】
さらに、移動局装置が、基地局装置によってＰＲＡＣＨリソースが設定されたセカンダリセルで送信されるＰＵＣＣＨリソースを使用して、上りリンク制御情報を送信することによって、基地局装置によって上りリンク制御情報の送信に使用されるセカンダリセル（セカンダリプライマリセル）を明示的に指示する必要がなくなり、効率的な上りリンク制御情報の送信が可能となる。
【０１５０】
（第２の実施形態）
次に、基地局装置１００および移動局装置２００を用いた移動通信システムにおける第２の実施形態を説明する。第２の実施形態では、基地局装置は、サービングセルそれぞれに対する下りリンクおよび上りリンクのサブフレームの設定を指示する情報を移動局装置へ送信し、移動局装置は、ＰＤＣＣＨを検出することによって、基地局装置によってＰＲＡＣＨリソースが設定されたセカンダリセルとは異なるセカンダリセルでのＰＤＳＣＨ送信が指示された場合には、検出したＰＤＣＣＨで送信される下りリンク制御情報によって指示されたＰＵＣＣＨリソースを使用して、上りリンク制御情報を送信する。
【０１５１】
また、移動局装置は、上りリンク制御情報を、ＰＲＡＣＨリソースが設定されたセカンダリセルでのＰＤＳＣＨ送信を指示するＰＤＣＣＨで送信される下りリンク制御情報に従ってセットされる送信電力で、基地局装置へ送信する。すなわち、移動局装置は、ＰＲＡＣＨリソースが設定されたセカンダリセルでのＰＤＳＣＨ送信を指示するＰＤＣＣＨで送信される下りリンク制御情報に従ってセットされる送信電力で、ＰＵＣＣＨ（ＰＵＣＣＨリソース）を送信する。
【０１５２】
基地局装置は、サービングセルそれぞれに対する下りリンクおよび上りリンクのサブフレームの設定を指示する情報を移動局装置へ送信し、移動局装置は、上りリンク制御情報を、プライマリセルの上りリンクサブフレームでＰＵＣＣＨリソースを使用して送信する場合には、基地局装置によってＰＲＡＣＨリソースが設定されたセカンダリセルでのＰＤＳＣＨ送信を指示するＰＤＣＣＨで送信される下りリンク制御情報を、ＰＵＣＣＨリソースを指示するために使用される情報と解釈（認識）し、上りリンク制御情報を、ＰＲＡＣＨリソースが設定されたセカンダリセルの上りリンクサブフレームでＰＵＣＣＨリソースを使用して送信する場合には、ＰＲＡＣＨリソースが設定されたセカンダリセルでのＰＤＳＣＨ送信を指示するＰＤＣＣＨで送信される下りリンク制御情報を、上りリンク制御情報を送信する際の送信電力をセットするために使用される情報と解釈（認識）する。
【０１５３】
ここで、上りリンク制御情報には、チャネル状態情報が含まれる。また、上りリンク制御情報には、ＨＡＲＱにおける制御情報が含まれる。また、上りリンク制御情報には、スケジューリングリクエストが含まれる。また、基地局装置と移動局装置によって、少なくともＴＤＤへ適用される無線フレーム構造がサポートされる。
【０１５４】
図６を使用して、第２の実施形態を説明する。第２の実施形態は、第１の実施形態で説明したような基地局装置、移動局装置に適用できる。第１の実施形態で説明したように、図６において、基地局装置は、サービングセルそれぞれに対する下りリンクおよび上りリンクのサブフレームの設定を指示する情報を移動局装置へ送信し、移動局装置は、プライマリセル、または、セカンダリプライマリセルのいずれかの上りリンクサブフレームで送信されるＰＵＣＣＨリソースを使用して、上りリンク制御情報を送信する。
【０１５５】
図６において、基地局装置は、移動局装置が、プライマリセルの上りリンクサブフレームで上りリンク制御情報を送信するために使用されるＰＵＣＣＨリソースを割り当てる。また、基地局装置は、移動局装置が、セカンダリプライマリセルの上りリンクサブフレームで上りリンク制御情報を送信するために使用されるＰＵＣＣＨリソースを割り当てる。
【０１５６】
ここで、図６において、基地局装置は、４つのＰＵＣＣＨリソースの候補を、ＲＲＣシグナリング（dedicated signalingでも良い）を使用して設定する。さらに、基地局装置は、設定した４つのＰＵＣＣＨリソースの候補の中から１つのＰＵＣＣＨリソースを、ＰＤＣＣＨで送信されるＤＣＩフォーマットに含まれる下りリンク制御情報を使用して指示する。ここで、基地局装置が、設定した４つのＰＵＣＣＨリソースの候補の中から１つのＰＵＣＣＨリソースを指示するために使用される下りリンク制御情報を、ＡＲＩ（ACK Resource Indicator：例えば、２ビットの情報によって示される）とも記載する。
【０１５７】
すなわち、移動局装置は、対応するＰＤＣＣＨの検出によって指示されたＰＤＳＣＨ送信に対して、検出したＰＤＣＣＨで送信されたＡＲＩ値によって指示されたＰＵＣＣＨリソースを使用する。すなわち、移動局装置は、ＨＡＲＱにおける制御情報の送信に対して、ＡＲＩ値によって指示されたＰＵＣＣＨリソースを使用する。ここで、図６において、基地局装置は、プライマリセルでのＰＤＳＣＨ送信を、プライマリセル以外のサービングで送信されるＰＤＣＣＨによってスケジュールしない。
【０１５８】
上述したように、基地局装置は、ＰＤＳＣＨのスケジューリングに使用されるＤＣＩフォーマットに、ＰＵＣＣＨに対するＴＰＣコマンド（例えば、２ビットの情報によって示される、ＴＰＣフィールドとも記載する）やＤＡＩ（例えば、２ビットの情報によって示される）などの下りリンク制御情報を含めて移動局装置へ送信する。
【０１５９】
ここで、ＤＡＩ（ＤＡＩ値）とは、ＰＤＳＣＨ送信を割り当てたＰＤＣＣＨの累積数（accumulative number of PDCCH(s) with assigned PDSCH transmission(s)）を示す情報を含んでいる。すなわち、ＰＤＣＣＨで送信されるＤＣＩフォーマットに含まれるＤＡＩ値は、サブフレーム毎に（from subframe to subframeで）更新される。
【０１６０】
まず、移動局装置が、プライマリセルの上りリンクサブフレームで上りリンク制御情報を送信するために使用されるＰＵＣＣＨリソースの決定方法について記載する。
【０１６１】
図６において、移動局装置は、ＤＡＩ値が１よりも大きい（ＤＣＩフォーマットに含まれるＤＡＩ値が１よりも大きい）ＰＤＣＣＨの検出によって指示されたプライマリセルのみでのＰＤＳＣＨ送信に対して、ＡＲＩ値によって指示されたＰＵＣＣＨリソースを使用する。例えば、移動局装置は、設定された４つのＰＵＣＣＨリソースの候補（４つのＰＵＣＣＨリソースの値）の中から、ＡＲＩ値によって指示されたＰＵＣＣＨリソースを使用して上りリンク制御情報を送信する。
【０１６２】
ここで、ＰＵＣＣＨリソースは、移動局装置が、検出したＰＤＣＣＨで送信されたＤＣＩフォーマットに含まれるＴＰＣフィールド（ＴＰＣコマンドがマップされる２ビットの情報フィールド）を、ＡＲＩフィールド（ＡＲＩ値がマップされる２ビットの情報フィールド）と解釈することによって決定される。また、この際、移動局装置は、図８に示されるような下りリンク関連性セット指標Ｋによって指示される要素の数Ｍ（例えば、ＨＡＲＱにおける制御情報を送信する上りリンクサブフレームに対応する下りリンクサブフレームの数）が、１よりも大きい場合に、ＡＲＩ値によって指示されたＰＵＣＣＨリソースを使用しても良い。
【０１６３】
すなわち、移動局装置は、ＲＲＣシグナリングによる設定とＡＲＩによって指示されるＰＵＣＣＨリソースに従って、上りリンク制御情報を送信するために使用されるＰＵＣＣＨリソースを決定する。
【０１６４】
また、この際、移動局装置は、プライマリセルでのＰＤＳＣＨ送信を指示するＤＡＩ値が１の（ＤＣＩフォーマットに含まれるＤＡＩ値が１の）ＰＤＣＣＨで送信されたＤＣＩフォーマットに含まれるＴＰＣフィールド（ＴＰＣコマンド）に従ってセットされる送信電力で、上りリンク制御情報（ＰＵＣＣＨでも良い）を送信する。
【０１６５】
すなわち、移動局装置は、プライマリセルのみでのＰＤＳＣＨ送信を指示するＰＤＣＣＨで送信されるＤＡＩ値が、１なのか、１よりも大きいのかに基づいて、２ビットの情報（２ビットの情報フィールド）に対する解釈を変更する。すなわち、移動局装置は、ＤＡＩ値が１よりも大きい場合には、２ビットの情報（２ビットの情報フィールド）をＡＲＩ値（ＡＲＩフィールド）と解釈する。また、移動局装置は、ＤＡＩ値が１の場合には、２ビットの情報（２ビットの情報フィールド）をＴＰＣコマンド（ＴＰＣフィールド）と解釈する。
【０１６６】
ここで、移動局装置は、同一サブフレームにおいて、ＤＡＩ値が１よりも大きい複数のＰＤＣＣＨが送信される場合には、全てのＰＤＣＣＨに含まれるＡＲＩ値によって指示されるＰＵＣＣＨリソース（ＰＵＣＣＨリソースの値）は、同じであると想定（assume）する。
【０１６７】
さらに、移動局装置は、ＰＤＣＣＨの検出によって指示されたセカンダリセルでのＰＤＳＣＨ送信に対して、ＡＲＩ値によって指示されたＰＵＣＣＨリソースを使用する。すなわち、移動局装置は、（ＤＡＩ値が、１または１よりも大きい）ＰＤＤＣＨの検出によってセカンダリセルでのＰＤＳＣＨ送信が指示された場合には、検出したＰＤＤＣＨで送信されたＤＣＩフォーマットに含まれるＡＲＩ値によって指示されたＰＵＣＣＨリソースを使用する。
【０１６８】
続いて、移動局装置が、セカンダリプライマリセルの上りリンクサブフレームで上りリンク制御情報を送信するために使用されるＰＵＣＣＨリソースの決定方法について記載する。
【０１６９】
プライマリセルにおけるＰＵＣＣＨリソースの決定方法と同様に、例えば、移動局装置は、設定された４つのＰＵＣＣＨリソースの候補（４つのＰＵＣＣＨリソースの値）の中から、ＡＲＩ値によって指示されたＰＵＣＣＨリソースを使用して上りリンク制御情報を送信する。すなわち、移動局装置は、ＲＲＣシグナリングによる設定とＡＲＩ値によって指示されるＰＵＣＣＨリソースに従って、上りリンク制御情報を送信するために使用されるＰＵＣＣＨリソースを決定する。
【０１７０】
すなわち、基地局装置は、プライマリセルに対する４つのＰＵＣＣＨリソースの候補とセカンダリプライマリセルに対する４つのＰＵＣＣＨリソースの候補を、移動局装置に対して設定することができる。例えば、基地局装置は、ＰＵＣＣＨリソースセットそれぞれが４つのＰＵＣＣＨリソースの値を含む、２つのＰＵＣＣＨリソースセットを移動局装置へ設定することができる。
【０１７１】
図６において、移動局装置は、ＰＤＣＣＨの検出によって指示されたセカンダリプライマリセルとは異なるセカンダリセルでのＰＤＳＣＨ送信に対して、ＡＲＩ値によって指示されたＰＵＣＣＨリソースを使用する。すなわち、移動局装置は、（ＤＡＩ値が、１または１よりも大きい）ＰＤＤＣＨを検出することによって、セカンダリプライマリセルとは異なるセカンダリセルでのＰＤＳＣＨ送信が指示された場合には、検出したＰＤＤＣＨで送信されたＤＣＩフォーマットに含まれるＡＲＩ値によって指示されたＰＵＣＣＨリソースを使用する。
【０１７２】
また、この際、移動局装置は、セカンダリプライマリセルでのＰＤＳＣＨの送信を指示するＰＤＣＣＨで送信されたＤＣＩフォーマットに含まれるＴＰＣフィールド（ＴＰＣコマンド）に従ってセットされる送信電力で、上りリンク制御情報（ＰＵＣＣＨでも良い）を送信する。
【０１７３】
すなわち、移動局装置は、検出したＰＤＣＣＨが、セカンダリプライマリセルとは異なるセカンダリセルでのＰＤＳＣＨ送信を指示しているのか、セカンダリプライマリセルでのＰＤＳＣＨ送信を指示しているのかに基づいて、２ビットの情報（２ビットの情報フィールド）に対する解釈を変更する。
【０１７４】
すなわち、移動局装置は、検出したＰＤＣＣＨが、セカンダリプライマリセルとは異なるセカンダリセルでのＰＤＳＣＨ送信を指示している場合には、２ビットの情報（２ビットの情報フィールド）をＡＲＩ値（ＡＲＩフィールド）と解釈する。また、移動局装置は、検出したＰＤＣＣＨが、セカンダリプライマリセルでのＰＤＳＣＨ送信を指示している場合には、２ビットの情報（２ビットの情報フィールド）をＴＰＣコマンド（ＴＰＣフィールド）と解釈する。
【０１７５】
ここで、移動局装置は、同一サブフレームにおいて、セカンダリプライマリセル以外の複数のセカンダリセルでの複数のＰＤＳＣＨ送信を指示する複数のＰＤＣＣＨが送信される場合には、全てのＰＤＣＣＨに含まれるＡＲＩ値によって指示されるＰＵＣＣＨリソース（ＰＵＣＣＨリソースの値）は、同じであると想定（assume）する。
【０１７６】
上述したとおり、移動局装置は、プライマリセルの上りリンクサブフレームで上りリンク制御情報を送信する際に、セカンダリセルでのＰＤＳＣＨ送信を指示するＰＤＣＣＨを検出した場合には、ＡＲＩ値によって指示されたＰＵＣＣＨリソースを使用して、上りリンク制御情報を送信する。ここで、このセカンダリセルには、セカンダリプライマリセルが含まれている。
【０１７７】
また、移動局装置は、セカンダリプライマリセルの上りリンクサブフレームで上りリンク制御情報を送信する際に、セカンダリプライマリセルでのＰＤＳＣＨ送信を指示するＰＤＣＣＨを検出した場合には、ＴＰＣフィールド（ＴＰＣコマンド）に従ってセットされる送信電力で、上りリンク制御情報を送信する。
【０１７８】
すなわち、移動局装置は、上りリンク制御情報を、プライマリセルで送信するのか、セカンダリプライマリセルで送信するのかに基づいて、セカンダリプライマリセルでのＰＤＳＣＨ送信を指示するＰＤＣＣＨで送信される２ビットの情報（２ビットの情報フィールド）に対する解釈を変更する。
【０１７９】
すなわち、移動局装置は、上りリンク制御情報をプライマリセルで送信する場合には、セカンダリプライマリセル（セカンダリセル）でのＰＤＳＣＨ送信を指示するＰＤＣＣＨで送信される２ビットの情報（２ビットの情報フィールド）を、ＡＲＩ値（ＡＲＩフィールド）と解釈する。また、移動局装置は、上りリンク制御情報をセカンダリプライマリセルで送信する場合には、セカンダリプライマリセル（セカンダリセル）でのＰＤＳＣＨ送信を指示するＰＤＣＣＨで送信される２ビットの情報（２ビットの情報フィールド）を、ＴＰＣコマンド（ＴＰＣフィールド）と解釈する。
【０１８０】
上記までに示したように、移動局装置が、基地局装置によって設定された複数のＰＵＣＣＨリソースの中から、指示された１つのＰＵＣＣＨリソースを使用して上りリンク制御情報を送信することによって、上りリンク制御情報の送信に使用されるＰＵＣＣＨリソースを柔軟に割り当てることができ、効率的な上りリンク制御情報の送信が可能となる。
【０１８１】
また、移動局装置が、プライマリセルで上りリンク制御情報を送信する際に、セカンダリセルでのＰＤＳＣＨ送信を指示するＰＤＣＣＨで送信されるＴＰＣフィールドをＡＲＩフィールドと解釈することによって、ＰＵＣＣＨリソースの指示に使用される情報フィールドを新たに定義する必要がなくなり、効率的な上りリンク制御情報の送信が可能となる。
【０１８２】
また、移動局装置が、セカンダリプライマリセルで上りリンク制御情報を送信する際に、セカンダリプライマリセル以外のセカンダリセルでのＰＤＳＣＨ送信を指示するＰＤＣＣＨで送信されるＴＰＣフィールドをＡＲＩフィールドと解釈することによって、ＰＵＣＣＨリソースの指示に使用される情報フィールドを新たに定義する必要がなくなり、効率的な上りリンク制御情報の送信が可能となる。
【０１８３】
また、移動局装置が、上りリンク制御情報を送信するサービングセル（プライマリセル、セカンダリプライマリセル）に基づいて、セカンダリプライマリセルでのＰＤＳＣＨ送信を指示するＰＤＣＣＨで送信されるＴＰＣフィールドの解釈を変更することによって、上りリンク制御情報をプライマリセルで送信する際のＴＰＣコマンドの不一致を回避することができ、結果として、効率的な上りリンク制御情報の送信が可能となる。すなわち、移動局装置が、上りリンク制御情報をプライマリセルで送信する際に、プライマリセルでのＰＤＳＣＨ送信を指示するＰＤＣＣＨで送信されるＴＰＣフィールドにセットされる値と、セカンダリプライマリセルでのＰＤＳＣＨ送信を指示するＰＤＣＣＨで送信されるＴＰＣフィールドにセットされる値が、不一致となることを回避することができる。
【０１８４】
以上説明した実施形態は、基地局装置および移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１８５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１８６】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８７】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2013005367.tif 000003
【図２】
2013005367.tif 000004
【図３】
2013005367.tif 000005
【図４】
2013005367.tif 000006
【図５】
2013005367.tif 000007
【図６】
2013005367.tif 000008
【図７】
2013005367.tif 000009
【図８】
2013005367.tif 000010